(57)【特許請求の範囲】
【請求項１】
吸引管路を含む各種の管路が内部に配設された内視鏡本体と、
この本体側管路に連結される管路を有する管路ユニットと、
この管路ユニットを上記本体に対し着脱自在とし、かつ上記管路を嵌合形式で結合する連結部とを備えた管路分離型内視鏡であって、
上記連結部の上記吸引管路と他の管路の途中を結び、この吸引管路同士の嵌合が途中まで解除されたときこの吸引管路と上記他の管路を連通状態とするバイパス管路を設け、
上記管路ユニットの取外し時に上記バイパス管路を利用して上記吸引管路から他の管路内を吸引できるようにしたことを特徴とする管路分離型内視鏡装置。
【請求項２】
上記本体側連結部の吸引管路に、この吸引管路を閉じるためのシャッタを設けたことを特徴とする上記第１請求項記載の管路分離型内視鏡装置。
【発明の詳細な説明】
【０００１】
【発明の属する技術分野】
本発明は、各種管路を備えた内視鏡本体から管路ユニットを連結部で分離可能とする内視鏡装置であって、吸引管路以外の管路を吸引するための構成に関する。
【０００２】
【従来の技術】
従来の、例えば電子内視鏡（スコープ）は、ＣＣＤ（Charge Coupled Device）を有する先端部、挿入部、操作部、ケーブルからなり、このケーブルを光源装置及びプロセッサ装置に接続するようになっている。この内視鏡本体及びケーブルには、ライトガイドや電気信号線が配置され、また先端部へ送気／送水をするための送気管及び送水管や、処置具の挿入及び被観察体内の内容物を吸引する吸引管等が配置される。
【０００３】
このような内視鏡によれば、光源装置の光がライトガイドを介して先端部から照射され、これに基づいてＣＣＤにより被観察体内が撮像・観察される。そして、上記送気管及び送水管を用いて先端部から観察窓等へ送気及び送水が行われ、上記吸引管を用いて処置具の挿入や被観察体内の汚物等の吸引・排出が可能となる。
【０００４】
【発明が解決しようとする課題】
ところで、上述の内視鏡装置は、医療現場で用いられることから上記各種管路の洗浄や殺菌消毒等が必要であり、この洗浄、消毒を効率よく行うために、上記管路を途中で着脱自在に分離することが提案されている。これによれば、洗浄ブラシによる洗浄が容易となると共に、分離した管路ユニットにつき、オートクレーブ等による滅菌処理等ができることになる。
【０００５】
しかしながら、上記のように、管路ユニットを内視鏡本体側に対し着脱自在とする構成では、連結部の取外しの際に、例えば送水管等に残っている水等が漏出して垂れるという問題がある。即ち、内視鏡使用中に先端部の観察窓へ供給した水が上記送水管内に残留しており、洗浄等の際に管路ユニットを取り外すとき、この残留水が漏れ出ることになる。従って、この漏水により周辺を汚してしまうという不都合がある。
【０００６】
本発明は上記問題点に鑑みてなされたものであり、その目的は、吸引管以外の管路内に残った水等を管路ユニットの取外し時に吸引して、周辺を汚すことのない管路分離型内視鏡装置を提供することにある。
【０００７】
【課題を解決するための手段】
上記目的を達成するために、本発明に係る管路分離型内視鏡装置は、吸引管路を含む各種の管路が内部に配設された内視鏡本体と、この本体側管路に連結される管路を有する管路ユニットと、この管路ユニットを上記本体に対し着脱自在とし、かつ上記管路を嵌合形式で結合する連結部とを備えた管路分離型内視鏡であって、上記連結部の上記吸引管路と他の管路の途中を結び、この吸引管路同士の嵌合が途中まで解除されたときこの吸引管路と上記他の管路を連通状態とするバイパス管路を設け、上記管路ユニットの取外し時に上記バイパス管路を利用して上記吸引管路から他の管路内を吸引できるようにしたことを特徴とする。
第２請求項記載の発明は、上記本体側連結部の吸引管路に、この吸引管路を閉じるためのシャッタを設けたことを特徴とする。
【０００８】
上記の構成によれば、連結部の取外し時に、嵌合状態の各種管路を途中まで抜くと、吸引管路と他の管路、例えば送水管路との間に設けられているバイパス管路が連通状態となる。このとき、吸引管路を介して吸引動作を行うと、本体側の送水管路内が吸引され、水等が管路ユニット側の吸引管路を介して吸引用タンク内に回収される。
【０００９】
また、この連結部の取外し時に、本体側の吸引管路がシャッタにより閉るように構成することができ、この場合は、吸引管路以外の管路の吸引効果が高まるという利点がある。
【００１０】
【発明の実施の形態】
図１乃至図４には、実施形態例に係る管路分離型内視鏡装置の構成が示されており、まず図４により全体構成を説明する。図４において、電子内視鏡１０は、撮像素子であるＣＣＤを有する先端部１０Ａ、挿入部１０Ｂ、操作部１０Ｃ、第１ケーブル１０Ｄを有し、この第１ケーブル１０Ｄのコネクタ１１が光源装置１２に接続され、このコネクタ１１から分岐した信号ケーブル１３がプロセッサ（画像処理）装置１４へ接続される。
【００１１】
即ち、上記第１ケーブル１０Ｄは、先端部から操作部１０Ｃまで配設されたライトガイド１５及び上記ＣＣＤの駆動制御及び画像信号の読出しを行うための信号線１６を内包しており、上記ライトガイド１５を光源装置１２へ接続し、上記信号線１６をプロセッサ装置１４へ接続する役目をする。
【００１２】
そして、上記操作部１０Ｃの後端部に、管路ユニット１８が連結部１９で着脱自在に設けられる。この管路ユニット１８は、支持部１８Ａと第２ケーブル１８Ｂから構成されており、この第２ケーブル１８Ｂが電磁弁ユニット２０へ接続される。この電磁弁ユニット２０は、詳細は後述するが、吸引或いは送水のためのタンク部２１等を有し、上記プロセッサ装置１４に信号線を介して接続される。
【００１３】
図１及び図２には、上記連結部１９の周辺及び電磁弁ユニット２０の詳細な構成が示され、図１は連結部１９を途中まで外した状態、図２は接続した状態である。図示されるように、上記操作部１０Ｃには、電気的スイッチである吸引釦２３Ａ、送気／送水釦（二段スイッチ）２３Ｂ、ハードコピー釦２３Ｃが設けられる。また、この操作部１０Ｃには、被観察体内の内容物を吸引するための吸引管２４Ａ、送水管２５Ａが配置され、その他、図示していないが送気管等も配置される。
【００１４】
一方、上記管路ユニット１８内には、上記の各管２４Ａ，２５Ａに連結されることになる吸引管２４Ｂ、送水管２５Ｂが配置されており、これらの管２４Ｂ，２５Ｂは上記電磁弁ユニット２０へ接続される。（これらの管路の種類及び配置は各種のものがある）。上記吸引管２４Ｂには、分岐管２７を介して鉗子口２８が設けられ、この鉗子口２８は処置具の導入口となり、吸引管２４Ａ，２４Ｂは処置具挿通チャンネルの役目もすることになる。なお、この鉗子口２８には不使用時にキャップ２９が取り付けられる。
【００１５】
また、上記連結部１９として、上記操作部１０Ｃの後端部に、雄ネジを外周に形成した受け部３１が取り付けられ、管路ユニット１８の支持部１８Ａに、雌ネジを内周に形成した固定リング３２が設けられる。
【００１６】
この連結部１９では、図１及び図２に示されるように、管路ユニット１８（１８Ａ）側において、吸引管２４Ｂに突出管２４Ｃ、送水管２５Ｂに突出管２５Ｃが設けられ、一方受け部３１側において、上記突出管２４Ｃ，２５Ｃのそれぞれを嵌合させる結合用管路２４Ｄ，２５Ｄが形成され、一方の結合用管路２５Ｄには上記送水管２５Ａが接続される。そして、この結合用管路２４Ｄと結合用管路２５Ｄとを途中で結ぶ（連絡する）バイパス管路３３が設けられており、このバイパス管路３３から操作部１０Ｃ（本体側）の送水管２５Ａ内に残留する水を吸引することができる。
【００１７】
また、上記結合用管路２４Ｄと上記吸引管２４Ａとの間に、上記突出管２４Ｃで開閉するシャッタ部３４が設けられる。このシャッタ部３４は、逆止弁等として用いられるものと同様の弁３５Ａを有する弁体３５をバネ３６で受け部３１側へ押圧する。即ち、図３に示されるように、この弁体２９は例えばゴム製とされ、結合用管路２４Ｄの開口を塞ぐ大きさの弁２９Ａが支点部２９Ｂを軸として、図の前後に倒れるように構成される。このシャッタ部３４によれば、上記突出管２４Ｃの進退動作により、連結部１９の取付け時に開き、取外し時に閉じることになる。
【００１８】
次に、図１に示される電磁弁ユニット２０の構成を説明する。この電磁弁ユニット２０には、上記吸引管２４Ｂ、送水管２５Ｂ、送気管３８Ｂのそれぞれを電磁弁で開閉する電磁弁部４０、駆動用のポンプ４１、上記操作部１０Ｃの吸引釦２３Ａの操作制御信号を入力して上記電磁弁部４０等を制御する制御回路４２が設けられる。また、上記タンク部２１として、吸引用タンク２１Ａ、送気／送水用タンク２１Ｂが配置される。
【００１９】
実施形態例は以上の構成からなり、内視鏡を使用する際には図２に示されるように、上記固定リング３２と受け部３１の螺合結合により上記管路ユニット１８が操作部１０Ｃへ連結される。この状態では、上記バイパス管路３３は管路ユニット１８側の突出管２４Ｃ及び２５Ｃによって塞がれており、またシャッタ部３４の弁３５Ａは突出管２４Ｃで押し倒されて開状態となる。
【００２０】
一方、洗浄等のために管路ユニット１８を取り外す際には、図１の吸引釦２３Ａを操作して、ポンプ４１を作動させると共に電磁弁部４０により吸引管２４Ｂを開状態とする。そうして、図１のように、連結部１９を外して結合用管路２４Ｄ，２５Ｄから突出管２４Ｃ及び２５Ｃを途中まで抜くと、バイパス管路３３が連通（開）状態となり、送気管２５Ａ内の残留水がバイパス管路３３、吸引管２４Ｃ，２４Ｂを介してタンク２１Ａ内へ回収される（なお、管路ユニット１８側の送水管２５Ｃは電磁弁部４０により閉じている）。従って、連結部１９を完全に外したとき、水等が垂れることがない。
【００２１】
上記例では、吸引管２４と送水管２５との間にバイパス管路３３を設けたが、その他の管、例えばジェット管等にも同様にバイパス管路を設けることにより、上記吸引管２４を介して管内の残留物を吸引することが可能となる。
【００２２】
【発明の効果】
以上説明したように、本発明によれば、内視鏡本体に対し管路ユニットを連結部により着脱自在とする内視鏡装置において、連結部の吸引管路と他の管路の間にバイパス管路を設け、これら管路を途中まで抜いたとき上記バイパス管路が連通状態となるように構成したので、管路ユニットの取外し時に吸引管路を利用して他の管路内に残った水等を吸引することができ、周辺を汚すことが防止可能となる。
【図面の簡単な説明】
【図１】本発明の実施形態例に係る管路分離型内視鏡装置を示す一部断面図である。
【図２】図１の装置の連結部を接続したときの状態を示す断面図である。
【図３】実施形態例のシャッタの弁体の構成を示す図である。
【図４】実施形態例の内視鏡装置の全体構成を示す図である。
【符号の説明】
１０  …  電子内視鏡、
１０Ｃ  …  操作部（本体側）、
１８  …  管路ユニット、
１９  …  連結部、
２０  …  電磁弁ユニット、
２３Ａ  …  吸引釦（スイッチ）、
２４Ａ，２４Ｂ，２４Ｃ，２４Ｄ  …  吸引管、
２５Ａ，２５Ｂ，２５Ｃ，２５Ｄ  …  送水管、
３３  …  バイパス管路、
４０  …  電磁弁部、
４２  …  制御回路。
【図１】
0003729969.tif 000002
【図２】
0003729969.tif 000003
【図３】
0003729969.tif 000004
【図４】
0003729969.tif 000005